(57)【要約】  【課題】ガス燃焼式の釘打ち機において、釘の送りの確実性を損なうことなくコイルネイラー化することを可能ならしめる。  【手段】マガジンは、側面視で上下に長く延びる長溝２３を有するストレート状マガジン５と、ストレート状マガジン５の下端部に取付けられたドラム状マガジン６とから成っている。ストレート状マガジン５には、ばねで上向きに引っ張られたフォロアー２７が取付けられている。フォロアー２７の送り爪２９は、連結ファスナーに係合した姿勢と係合解除した姿勢とに切り換え自在である。ドラム状マガジン６は本体３４と開閉自在な蓋３５とを備えており、上部には連結ファスナーの引き出し口４２が空いている。直動式のフォロアー２７を何回も往復動させることにより、コイル状の連結ファスナーを送ることができる。【選択図】      図４
2006075960.tif 000002
【特許請求の範囲】
【請求項１】
多数本の棒状ファスナーを並列状に並べた状態に連結してなる連結ファスナーを装填して、連結ファスナーを打ち込み用ロッドの前方に繰り出すマガジン装置であって、
前記連結ファスナーが直線状に延びる姿勢でスライド自在に嵌め入れられる長溝を備えているストレート状マガジンと、このストレート状マガジンに装填した連結ファスナーを前記ロッドの前方に向けて繰り出す送り手段とを備えており、
前記ストレート状マガジンに、コイル状に巻かれた連結ファスナーが装填されるドラム状マガジンを、当該ドラム状マガジンから連結ファスナーを前記ストレート状マガジンに引き込み得るように設けている、
ファスナー用マガジン装置。
【請求項２】
前記送り手段は、前記長溝に沿って往復動すると共にヘッドの側に向けてばね手段で引っ張られるようにストレート状マガジンに取付けられたフォロアーであって、このフォロアーは、連結ファスナーを打ち出しロッドに向けて繰り出し得る送り姿勢と連結ファスナーから離脱したフリー姿勢とに切り換え操作自在な送り爪が備えられている、
請求項１に記載したファスナー用マガジン装置。
【請求項３】
請求項１又は請求項２に記載したファスナー用マガジン装置を取り外し可能に又は取り外し不能に設けている打ち込み工具。
【請求項４】
コイル状に巻かれた連結ファスナーを装填するマガジンであって、連結ファスナーが直線状に延びる姿勢でスライド自在に嵌め入れられる長溝を備えているストレート状マガジンに着脱可能であると共に、内部に装填されたコイル状ファスナーをストレート状装填部の長溝に引き込み得る引き出し口が設けられている、
ファスナー用ドラム状マガジン。
【発明の詳細な説明】
【技術分野】
【０００１】
本願発明は、釘打ち機のような携帯式のファスナー打ち込み工具及びそのマガジン装置並びにマガジンに関するものである。
【背景技術】
【０００２】
携帯式打ち込み工具の代表として釘打ち機（或いはピン打ち機）が多用されている。この釘打ち機は、往復動するピストンを内蔵すると共にグリップを有する本体と、ピストンに設けた打ち出しロッド（ハンマーブレードと呼ぶこともある）のガイド等を行うヘッド部と、ヘッド部に取付けられたマガジンとを主要要素として備えており、マガジンに装填した連結釘を送り手段でロッドの前方に繰り出すことにより、釘打ち作業を連続的に行えるようになっている。
【０００３】
連結釘（連結釘群）は多数本の釘を並列状に並べた状態に連結具で連結して成るもので、連結具としては、針金や樹脂テープ、樹脂製ホルダー、或いは紙などが使用されている。
【０００４】
更に、連結釘は、変形可能な連結具を使用して全体をコイル状（渦巻き状やロール状と言っても良い）に巻くことができるタイプ（コイルネイル）と、連結具が殆ど変形せずに全体として細長い剛体状になっているタイプ（シート釘と呼ばれることもあり、以下では、便宜的にストリップネイルと呼ぶ）とがある。コイルネイルを装填するマガジンはドラム状の形態を成している（例えば特許文献１参照）一方、ストリップネイルを装填するマガジンは中空状で細長い形態を成しており、連結釘を装填する長溝が直線状に延びるようにストレート状に形成されている（例えば特許文献２参照）。
【０００５】
コイルネイルの送り手段としては、ピストンで駆動される往復動式の送り爪が使用されている。送り爪は打ち出しロッドの近傍に配置されており、コイルネイルの始端部に位置した釘を押しやることにより、コイルネイルの全体を１ピッチずつ繰り出すようになっている。すなわち、コイルネイルは、その始端部からの引き動作によって全体が送られている。
【０００６】
これに対してストリップネイルはその終端を押すことによって全体を送るようになっており、このため、マガジンに、ストリップネイルを終端から押す送り部材（フォロワー）をスライド自在に取付けて、この送り部材をゼンマイ状定格出力ばねのようなばねでロッドの側に引っ張っている。
【０００７】
他方、一般に使用されている釘打ち機を打ち出しロッドの駆動源から見ると、圧縮空気を使用したエアツールとガスの燃焼圧を使用した内燃機関方式のガスツールとに大別され、ガスツールは、エアコンプレッサが不要であるためどこでも釘打ち作業ができて機動性に優れていると共に、ホースが接続されていないため操作性に優れている利点がある。
【０００８】
そして、従来、ガスツールでは専らストリップネイルが使用されている。これは、ストリップネイルは特別の動力を要せずにばねで送りを行えるからである。なお、特許文献３では、ガスの燃焼圧を利用してコイルネイルの送りを行うことが提案されているが、確実性に劣るため実用化はされていない。
【０００９】
他方、エアツールでは、連結釘の送り手段の動力源として圧縮空気を使用できるため、コイルネイルが多用されているが、エアツールにおいても、例えば特許文献４にあるようにストリップネイルを使用することがあり、この場合は、ストレート状のマガジンが使用される。
【特許文献１】米国特許第３９４５５５１号明細書
【特許文献２】特開平８−２９０３７０号公報
【特許文献１】実開平５−７２３８０号公報
【特許文献２】特開２００３−９４３５３号公報
【発明の開示】
【発明が解決しようとする課題】
【００１０】
送り手段をばねで駆動する送り手段は、構造が簡単で故障も少なく、また、ガスツールや火薬式ツールやエアツールなど駆動動力に関係なく使用できる利点があるが、操作性や重量の点からマガジンの長さには限度があるため（換言すると、送り部材の移動ストロークには限度があるため）、マガジンに装填できる釘の本数もおのずと限度があり、コイルネイルのような釘の本数がきわめて多い連結釘は使用できないという問題があった。
【００１１】
また、１種類の打ち込み具でコイルネイルとストリップネイルとの両方を打ち込みできる潜在的要望があったと言えるが、従来、このような要望に応えるマガジン及び打ち出し工具は提供されていなかった。
【００１２】
本願発明は、このような現状を改善すべく成されたものである。
【課題を解決するための手段】
【００１３】
本願発明は、多数本の棒状ファスナーを並列状に並べた状態に連結してなる連結ファスナーを装填して、連結ファスナーを打ち込み用ロッドの前方に繰り出すマガジン装置を含んでおり、このマガジン装置は、前記連結ファスナーが直線状に延びる姿勢でスライド自在に嵌め入れられる長溝を備えているストレート状マガジン（ストレート状装填部と言っても良い）と、このストレート状マガジンに装填した連結ファスナーを前記ロッドの前方に向けて繰り出す送り手段とを備えている。
【００１４】
そして、特徴的構成として、前記ストレート状マガジンに、コイル状に巻かれた連結ファスナーが装填されるドラム状マガジン（ドラム状装填部と言ってもよい）を、当該ドラム状マガジンから連結ファスナーを前記ストレート状マガジンに引き込み得るように設けている。
【００１５】
本願発明のマガジン装置において送り手段は多くの形態を採用できるが、請求項２では送り部材の好適な形態を示している。すなわち、前記送り手段は、前記長溝に沿って往復動すると共にヘッドの側に向けてばね手段で引っ張られるようにストレート状マガジンに取付けられたフォロアーであって、このフォロアーは、連結ファスナーを打ち出しロッドに向けて繰り出し得る送り姿勢と連結ファスナーから離脱したフリー姿勢とに切り換え操作自在な送り爪が備えられている。
【００１６】
本願発明は、前記マガジン装置を備えた打ち込み工具を備えている。この打ち込み工具において、マガジン装置は取り外し可能に取付けられている場合と、取り外し不能に取付けられている場合とを含んでいる。また、本願発明は、ドラム状マガジンがストレート状マガジンに着脱可能に取付けられている場合と、両者が分離不能に一体化している場合との両方を含んでいる。
【００１７】
本願発明は、コイル状に巻かれた連結ファスナーを装填するマガジンも含んでいる。このドラム状マガジンは、連結ファスナーが直線状に延びる姿勢でスライド自在に嵌め入れられる長溝を備えているストレート状マガジンに着脱可能であると共に、内部に装填されたコイル状ファスナーをストレート状装填部の長溝に引き込み得る引き出し口が設けられている。
【００１８】
なお、本願発明は、ガス燃焼式打ち込み工具や火薬式打ち込み工具のように連結ファスナーの駆動動力源を持っていない打ち込み工具に好適であるが、エア式打ち込み工具や電動式打ち込み工具にも適用できることは言うまでもない。
【発明の効果】
【００１９】
本願発明によると、マガジンを着脱式とすることにより、ストリップネイル等の剛体状式連結ファスナーとコイル状に巻かれた連結ファスナーとの両方を付け替えて使用することが可能になる。このため、用途に応じてファスナーを使い分けでき、至極便利である。
【００２０】
また、請求項２に記載したように、ばねで作用する往復動式（直動式）のフォロアーによってコイル状の連結ファスナーも送ることができる。このため、ガス燃焼式打ち込み工具についてもファスナーの本数の極めて多い連結ファスナーを使用することが可能になり、その結果、ガス燃焼式打ち込み工具の使用価値を格段に向上させることができる。
【００２１】
請求項４に記載したドラム状マガジンは、ストレート状マガジンを備えている既存の打ち込みファスナーに取付け可能な構造とすることができる。かかる工夫を施すことにより、既存のガス燃焼式釘打ち機をコイルネイラー化することが可能となり、その結果、ユーザーに多大の便宜を提供し得る。
【発明を実施するための最良の形態】
【００２２】
次に、本願発明を釘打ち機に適用した実施形態を図面に基づいて説明する。図１〜図８では第１実施形態を示している。
【００２３】
(1).概要
まず、主として図１〜図３に基づいて概要を説明する。図１のうち（Ａ）は釘打ち機を後方から見た斜視図、（Ｂ）は連結釘Ｎの部分的な側面図、（Ｃ）は（Ｂ）のＣ−Ｃ視断面図、図２のうち（Ａ）は釘打ち機の側面図、（Ｂ）はドラム状マガジンを取付けた状態での部分的な側面図、図３はマガジンを分離した状態での側面図である。
【００２４】
本実施形態の釘打ち機は、釘の打ち込み動力源としてガス燃焼圧を利用したもので、シンリダ２を内蔵した工具本体１と、工具本体１の前端部に設けたヘッド部３と、釘連結Ｎが装填されるマガジン装置４とを備えており、マガジン装置４は、ヘッド部３及び工具本体１に着脱自在に取り付けたストレート状マガジン５と、ストレート状マガジン５の下端部（すなわち、ストレート状マガジン５のうち連結釘Ｎの差し込み口の近傍部）に着脱自在に取付けられたドラム状マガジン６とで構成されている。
【００２５】
ストレート状マガジン５の下端には、ワークに当たって打ち込み姿勢を保持するためのフット７がねじ８で取り外し可能に取付け可能となっており、このフット７の取付け穴を利用してドラム状マガジン６を取付けできるようになっている。連結釘Ｎは、多数本の釘ｎを２本の連結具Ｆで連結した構造になっている。連結具Ｆはポリエチレン等の軟質樹脂テープ製であり、各釘ｎが嵌まっているリング状部Ｆ１と引き千切り可能なブリッジ部Ｆ２とが交互に連続している。
【００２６】
言うまでもないが、釘ｎの打ち出しによってブリッジ部Ｆ２が千切れる。ドラム状マガジン５を使用する場合は、連結釘Ｎはコイル状に巻かれたものが使用され、ドラム状マガジン５を使用しない場合は、適当な長さ（例えばストレート状マガジン装置４に対応した長さ）のものが使用される。なお、ストレート状マガジン５のみを使用する場合は、例えば特許第２５８８８１２号公報に記載されているようなコイル状に巻くことができない剛体状の連結釘（ストリップネイル）も使用できる。
【００２７】
シリンダ２にはピストン８が摺動自在に嵌め込まれており、ピストン８には、工具本体１から大きく前進して釘ｎをワークＷに打ち出す打ち込みロッド９を設けている。シリンダ２は、工具本体１の外観を構成するハウジン１０で覆われている。また、工具本体１はグリップ１１を備えている。グリップ１１にはトリガー１２を設けている。また、工具本体１のうちシリンダ２とグリップ１１との間には中空状の燃料セル室１３が形成されており、この燃料セル室１３にガスカートリッジ（ガスボンベ）が装填される。
【００２８】
本明細書において、構造を説明（特定）するために便宜的に前後・左右・上下という文言を使用するが、この前後・左右・上下の方向は、ロッド６が略水平になる姿勢で釘打ち機を持った人から見た方向を基準にしている。換言すると、壁への釘打ち作業の姿勢を基準にして前後・左右・上下と表示しており、天井や床への釘打ち作業の場合は当然ながら方向は違ってくる。
【００２９】
ヘッド部３は、ロッド６及び釘ｎのガイドを行うフロントノーズ（図７（Ａ）の符号１４参照）を備えており、フロントノーズ１４は工具本体１の前面に前端に取付けられている。フロントノーズ１４はカバー（シュラウド）１５で覆われている。また、ヘッド部３は、安全装置の一部を構成するロアープローブ１６を備えている。ロアープローブ１６の前端部はカバー１５から露出しており、ロアープローブ１６をワークＷに押し当てると安全装置のロックが解除されて、トリガー１２を引くことができるようになっている。
【００３０】
(2).ストレート状マガジン
次に、図４以下の図も参照してマガジン装置４について説明する。図４はマガジン装置４の概略斜視図、図５のうち（Ａ）はストレート状マガジン５の部分的な側面図、（Ｂ）は（Ａ）のＢ−Ｂ視断面図、図６のうち（Ａ）は図５のVI−VI視断面図で釘を省略した状態の図、（Ｂ）は図５のVI−VI視断面図で釘を表示した状態の図、（Ｃ）は構成部材の断面図、図７のうち（Ａ）は図５（Ａ）の VIIA-VIIA視断面図、（Ｂ）は連結釘Ｎをフリー状態にした断面図である。
【００３１】
ストレート状マガジン５は、ロッド６の軸線と直交した姿勢でヘッド部３から下方に延びており、側面視で前傾した装着補助部５ａが一体に形成されている。装着補助部５ａの下端はグリップ１１の下端部にノブ付きねじ１８で固定されている。なお、装着補助部５ａは必ずしも必要はなく、例えば、グリップ１の下端とストレート状マガジン５の下端部とを補強部材で連結することも可能である。要は、マガジン装置４の形態は工具本体１の形状の違いに合わせて設計したら良いのである。
【００３２】
例えば図６に明示しかつ図１，図４からも把握できるように、ストレート状マガジン５は、互いに重なり合った左右一対のケーシング１９，２０を備えており、左右ケーシング１９，２０は相対向する方向に開口している。このため、マガジン装置４は全体として中空状に形成されている。
【００３３】
左右ケーシング１９，２０の端面は、ストレート状マガジン５の前部を除いた部分において互いに重なっている。作業者から見て右側に位置する右ケーシング２０には、上下に長い電池室２１が右側に膨らむように形成されている。言うまでもないが、電池室２１は必ずしもマガジン装置４に設ける必要はなく、工具本体１に設けても良いのである。
【００３４】
図４及び図７に示すように、左右ケーシング１９，２０の上端部にはシェアブロック２２（図４参照）が固定されており、シェアブロック２２には釘ｎが通る上下開口の長穴が空いている。このシェアブロック２２が前記したフロントノーズ１４に下方から重なり、両者の合わせ面に、釘ｎとロッド９との案内を行うガイド穴が形成されている。なお、図示していないが、シェアブロック２２とフロントノーズ１４とはピンによって位置決めされる。
【００３５】
ストレート状マガジン５は、連結釘Ｎがその長手方向にスライド自在に嵌め入れられる長溝（ガイド溝）２３を備えている。長溝２３は、例えば図６に示すように、主として前後一対のレール２４，２５で構成されている。前後レール２４，２５は相対向するように開口する樋状の形態になっており、かつ、ある程度の間隔を空けて配置されている。
【００３６】
後部レール２５は主として釘ｎの頭ｎ１をガイドするように短い前後幅に形成されている一方、前部レール２４は長い前後幅になっている。連結釘Ｎを構成する１枚の連結具Ｆは後部レール２５に配置されており、他方の連結具Ｆは前部レール２４の後端面に重なるように配置されている。敢えて述べるまでもないが、長溝２３の構造は実施形態に限定されるものではない。
【００３７】
右ケーシング２０には、電池室３６の仕切りを兼用するカバープレート２６がずれ不能に嵌まっている。左ケーシング１９には、後部レール２５を押さえるための縦長リブ１９ａが形成されている。右ケーシング２０は前向きに突出するフランジ２０ａを備えており、前部レール２４で右ケーシング２０が囲われている。このため、前部レール２４は左右ケーシング２４，２５から前向きに露出した形態になっている。
【００３８】
前後レール２４，２５は上下両側に開口しており、従って、長溝２３にはその下端から連結釘Ｎを差し込むことができる。長溝２３に差し込まれた連結釘Ｎは、送り部材の一例としてのフォロアー２７によって上向きに押されている。
【００３９】
フォロアー２７は上下動自在なスライダー２８を備えている。例えば図６に示すように、スライダー２８は前後レール２４，２５の左側面に重なっており、左ケーシング１９に設けたストッパー片１９ｂにより、左ケーシング１９から離反不能でかつ上下スライド自在に保持されている。図示していないが、スライダー２８は、左ケーシング１９の中空部に配置したゼンマイ状の定格出力ばねによってヘッド部３の側に（上向きに）引っ張られている。
【００４０】
図５及び図７から理解できるように、スライダー２８は長溝２３の側に向けて開口しており、このスライダー２８には、前後レール２４，２５の間から長溝２３に向けて入り込む送り爪２９を取付けている。送り爪２９は、側面視略Ｔ形に形成されており、前後方向に延びる軸３０によってスライダー２８に回動可能に取付けられている。また、ねじりばね３１により、長溝２３に入り込む姿勢に付勢されている。なお、送り爪２９を付勢するばね手段はねじばねには限らず、引っ張りばねやコイルばね等の他の形態のばねでもよいことはいうまでもない。
【００４１】
送り爪２９はスライダー２８の外側に露出した操作部２９ａを備えており、操作部２９ａに人が指を当てて下方に押すと、送り爪２９を連結釘Ｎから離脱させることができる。
【００４２】
フォロアー２７が終端（上端）まで移動し切った後の操作としては、送り爪２９を指先で回動操作してからフォロアー２７を下降させることも可能であるが、連結具Ｆはその長手方向にはある程度の強度で突っ張った状態になっている一方、ねじりばね３１のばね力はそれほど強くないため、フォロアー２７の本体２８の上端に指を当てて下降させると、送り爪２９は連結釘Ｎから自動的に逃げ回動して、フォロアー２７の下降動が許容され、かつ、始端部まで移動し切ると、送り爪２９はねじりばね３１によって連結釘Ｎを押す状態に戻る。従って、一々送り爪２９を回動操作しなくても、フォロアー２７を始端部（下端）までワンタッチ操作で下降動させることができる。
【００４３】
そして、フォロアー２７を何回も往復させることにより、ストレート状マガジン５より長い長さの連結釘Ｎを的確に送ることができるのである。
【００４４】
フォロアー２７のスライダー２８には、前部ガイドレール２４の左外面に重なって上向きに延びるストッパー３２が固定されている。このストッパー２９は、スライダー２８が終端まで移動し切った状態でロアープローブ１６の後退動を阻止するためのものである。従って、フォロアー２７が終端まで移動し切ると、ロアープローブ１６をワークＷに当てても安全装置のロックは解除されず、釘打ち作業を行うことはできない。
【００４５】
例えば図４から理解できるように、左ケーシング１９の下端には、スライダー２８の下降下限を規制する堰部１９ｃが形成されている。
【００４６】
(3).ドラム状マガジン
次に、図８も参照してドラム状マガジン６について説明する。図８のうち（Ａ）は図２（Ｂ）のVIIIA-VIIIA 視図、（Ｂ）は図２（Ｂ）のVIIIB-VIIIB 視断面図である。
【００４７】
ドラム状マガジン６は、本体（固定部材）３４と蓋（可動部材）３５とを備えており、本体３４はブロック状の継手３６によってストレート状マガジン５に固定されている。具体的には、継手３６をストレート状マガジン５の前部レール２４にねじ３７で固定し、ドラム状マガジン６の本体３４の上部に設けた取付部３４ａを継手３６にねじ３８で固定している。
【００４８】
継手３４のうち前部レール２４を挟んでいる部分はスリット３９によって二つ割り状になっており、２つに割られた部分のうち一方には雌ねじが切っており、ねじ３７を雌ねじ込むことにより、継手３６の上部で前部レール２４を挟み付けている。当然ながら、ねじ３７は前部レール２４に貫通している。
【００４９】
ドラム状マガジン６を構成する本体３４と蓋３５とは共に円板部３４ａ，３５ａと半円状の胴部とを備えた略対称形に形成されており、その下部を中心にして相対回動するようにピン４０で連結されている。
【００５０】
本実施形態では、蓋３５は摘まみ付きねじ４１で継手３６に固定しているが、弾性的に嵌脱するキャッチ部材を設けて開閉をワンタッチ方式とすることも可能である。また、閉蓋状態で本体３４と蓋３５との間には、連結釘Ｎを上向きに引き出すための引き出し口４２が空いている（図４も参照）。
【００５１】
なお、継手３６に相当する部材を本体３４又はストレート状マガジン５に一体的に形成することも可能である。また、蓋３５は、軸線と平行に延びるピンによって本体３５に取付けることも可能である。更に、本体３４を円筒状胴部の一端に底板が一体化された形態と成す一方、蓋は単なる円板状の形態となすことも可能である。
【００５２】
(4).まとめ
以上の構成において、ストレート状マガジン５にドラム状マガジン６を取付けると、多数本（例えば１００本程度）の釘をコイル状に巻いた連結釘Ｎを使用して、フォロアー２７が終端まで移動したら連結釘Ｎへの係合を解除して始端部に戻し、再び連結釘Ｎに送り爪２９を係合させる、という作業を繰り返すことにより、ばね駆動式の直動式フォロアー２７でコイル状の連結釘Ｎを的確に送ることができる。このため、特にガス燃焼式の釘打ち機（ピン打ち機）をコイルネイラーと成すことができ、極めて有益である。
【００５３】
また、ドラム状マガジン６を取り外せばコイル式でない連結釘Ｎも使用できるため、使用できる連結釘Ｎの種類を豊富化することもでき、この面においても画期的であると言える。
【００５４】
なお、一般に釘打ち作業では、釘は長さの異なるものを何種類か使用することが多いが、釘の長さの違いにドラム状マガジン６を対応させるには、本体３４に、釘ｎの先端に当る規制用円板を前後移動調節できるように取付けたら良い。また、ドラム状マガジン６における引き出し口４２の箇所に連結釘Ｎの引き出しをスムースにするためのガイド部材を配置することも可能である。
【００５５】
例えばコイル状の連結釘Ｎがドラム状マガジン６の内部で動いて蓋３５に外力が作用する場合、その外力は蓋３５の胴部に作用し、従って、蓋３５には、胴部の軸線と平行に延びる軸線回りに回動させるような外力が作用する。このため、蓋を胴部の軸線と平行に延びるピンで本体３４に連結していると、連結釘Ｎに起因した外力が蓋３５を開けるように作用する。これに対して本実施形態のように蓋３５を胴部の軸線と直交した方向に延びるピン４０で本体３４に連結すると、蓋３５の胴部の内面に外力が作用しても蓋３５が開き勝手になることはないため、簡単な閉止手段でありながら、閉蓋状態を確保できる利点がある。
【００５６】
(5).第２実施形態（図９〜図10）
図９及び図１０では第２実施形態を示している。図９はマガジン装置４の側面図、図１０のうち（Ａ）は要部の分離斜視図、（Ｂ）は平蓋状態での図９の XB-XB視断面図、（Ｃ）は（Ａ）のＣ−Ｃ視断面図、（Ｄ）は（Ｃ）のＤ−Ｄ視部分図である。
【００５７】
この第２実施形態では、ドラム状マガジン６は基本的にストレート状マガジン５に取り付けたままとしておく半固定方式であり、従って、コイルネイラーとしての専用品を想定している（ドラム状マガジン６を取り外すことも可能ではある。）。この実施形態において、ストレート状マガジン５は長溝２３を有するケーシング４４を備えており、また、フット７はケーシング４４に一体に設けている。
【００５８】
ケーシング４４の下端には、相対向する方向に開口した前後一対の樋状張り出し部４４ａが形成されている。また、ケーシング４４の下端近傍にはフォロアー２７の下降下限を規制する堰部４４ｂを形成している。堰部４４ｃと樋状張り出し部４４ａとの間には、連結釘Ｎの差し込み操作を行い易いようにするための開口部４７を形成している。開口部４７は作業者から見て左の方向に開口している。
【００５９】
一方、ドラム状マガジン６は本体４５と蓋４６とを備えており、本体４５は、前後一対の円板部４５ａを半円状胴部で連結した形態になっており、蓋４６は、本体４５に外側から嵌まるように一対の側板４６ａを半円状胴部で連結した形態であり、本体４５の円板部４５ａと蓋４６の側板４６ａとをピン４８で相対回転可能に連結している。従って、蓋４６は旋回（回転）して本体４５を開閉する。
【００６０】
そして、本体４５の円板部４５ａに、ストレート状マガジン５におけるケーシング４４の樋状張り出し部４４ａに嵌まる突起４９が形成されており、この突起４９をねじ５０でストレート状マガジン５のケーシング４４に固定している。蓋４６６には開閉操作のために指を当てる摘まみ５１が付いている。蓋４６の閉じ位置の規制は、当該蓋４６の側板４６ａがケーシング４４に当たることによって行われ、閉蓋状態では本体４５と蓋４６との間に連結釘Ｎの引き出し口が空く。
【００６１】
蓋４７は、少なくとも閉じ状態に保持する必要がある。この保持手段の一例として、図１０の（Ｃ）（Ｄ）に示すように、蓋４６の側板４７の内面に凹所５２を形成してこの凹所に突起付きばね片５３を嵌め込む一方、本体４５の円板部４５ａには、開蓋状態と閉蓋状態とでばね片５３の突起５３ａが弾性的に嵌まり込む穴５４を空けている。このため、蓋４６を閉じ状態と開き状態とに自動的に保持できる。保持手段は他の構造を採用しても良い。
【００６２】
本実施形態のようにコイルネイラーとしての使用に特化する場合は、本体４５はケーシング４４に一体成形しても良い。その場合、ケーシング４４は樹脂製、板金製、ダイキャスト製のいずれも採用できる。また、本実施形態においても、釘の長さの違いに対応した規制板（触れ止め板）を設けるのが好ましい。
【００６３】
ところで、ドラム状マガジン６において、蓋と本体とを胴部の軸心と平行に延びる軸心回りに相対回動するように連結している場合、コイル状連結釘を装填するに当たっては蓋を約１８０°開くため大きなスペースがいる。これに対して本実施形態では蓋４６は一種のロータリー式であるため、開閉のためのスペースは殆ど必要がない利点がある。
【００６４】
また、連結釘Ｎの始端部を引き出し口４２から少し出した状態でコイル状連結釘Ｎをドラム状マガジン６に片手で簡単に装填できるため、コイル状連結釘Ｎをストレート状マガジン５に引き込む作業も簡単に行える。
【００６５】
更に、閉蓋状態で蓋４６における胴部の内面にコイル状連結釘Ｎの動きによって外力が作用しても、その外力は蓋４６を開けるようには作用しないため、ばね片５３の嵌め合いのような簡易でワンタッチ式の閉止手段を使用しても、閉蓋状態を確実に保持できる利点もある。なお、底付き円筒状の本体に円板状の蓋を着脱自在に設けたドラム状マガジンと比較しても、タイル状連結釘Ｎの装填作業を迅速に行うことができる。
【００６６】
(6).その他
本願発明は、上記の実施形態の他にも様々に具体化することができる。例えばストレート状マガジンは必ずしも工具本体又はヘッド若しくは両方に着脱式とする必要はなく、本体又はヘッドと一体の構造とすることも可能である。また、ストレート状マガジン、フォロアーのような送り手段、ドラム状マガジンの具体的な構造は実施形態に限定されるものではない。
【００６７】
なお、本願発明の目的を達成するためには、ストレート状マガジンは側面視で長溝がストレート状に延びておれば足り、長溝は正面視においては湾曲していても差し支えない。また、ストレート状マガジン及びドラム状マガジンは必ずしもヘッドの真下に位置している必要はなく、両者とも打ち込み工具の正面視で左右いずれか一方にずれていても良いのである。
【図面の簡単な説明】
【００６８】
【図１】第１実施形態の全体斜視図及び連結釘を示す図である。
【図２】(A)は釘打ち機の側面図、 (B)はドラム状マガジンを取付け状態での部分的な側面図である。
【図３】分離した状態での釘打ち機の側面図である。
【図４】マガジン装置の概略斜視図である。
【図５】(A)はストレート状マガジンの部分的な側面図、 (B)は (A)の B-B視断面図である。
【図６】(A) (B)はは図５のVI−VI視断面図、 (C)は構成部材の部材の断面図である。
【図７】(A)は図５（Ａ）の VIIA-VIIA視断面図、 (B)は送り解除状態の断面図である。
【図８】(A)は図２（Ｂ）のVIIIA-VIIIA 視図、 (B)は図２（Ｂ）のVIIIB-VIIIB 視断面図である。
【図９】第２実施形態の側面図である。
【図１０】第２実施形態を示す図で、 (A)は要部の分離斜視図、 (B)は平蓋状態での図９の XB-XB視断面図、 (C)は (A)の C-C視断面図、 (D)は (C)の D-D視部分図である。
【符号の説明】
【００６９】
Ｎ  連結ファスナーの一例としての連結釘
１  工具本体
３  ヘッド部
４  マガジン装置
５  ストレート状マガジン
６  ドラム状マガジン
９  打ち出しロッド
１９，４４  ケーシング
２３  長溝
２７  フォロアー
２９  送り爪
３６  継手
４５  ドラム状マガジンの本体
４６  ドラム状マガジンの蓋
【図１】
2006075960.tif 000003
【図２】
2006075960.tif 000004
【図３】
2006075960.tif 000005
【図４】
2006075960.tif 000006
【図５】
2006075960.tif 000007
【図６】
2006075960.tif 000008
【図７】
2006075960.tif 000009
【図８】
2006075960.tif 000010
【図９】
2006075960.tif 000011
【図１０】
2006075960.tif 000012